(57)【要約】【課題】フレキシブルサンプリングバッグ中のサンプルガスを採取するに当たって水上置換する必要がなく、試験中にガス発生または吸収による圧力の変化を伴わず、常圧下で、しかも、複数のバッグを用意することなく１つのバッグで経時的に何度でもバッグ中のサンプルガスを採取することができるガスサンプリングデバイスの提供。【解決手段】フレキシブルサンプリングバッグ中のサンプルをバッグ外に導くためのガス通気孔を側面に有する中空支持体、該中空支持体をサンプリングバッグ中に固定するための底部アーム部に開口部を有するクランプ、及びクランプ底部アーム側のバッグフィルムを両側から挟持するための１対の密封用ゴム板を備えてなるガスサンプリングデバイス。【選択図】図１
2011085571.tif 000002
【特許請求の範囲】
【請求項１】
密封可能なフレキシブルサンプリングバッグ中のサンプルガスを採取するためのガスサンプリングデバイスであって、（１）フレキシブルサンプリングバッグ中に挿入して該バッグ中のサンプルガスをバッグ外に導くためのガス通気孔を側面に有する中空支持体、（２）該中空支持体をサンプリングバッグ中に固定するためのクランプであってクランプ底部アーム部にガス採取のための採取針を出し入れするための開口部を有するクランプ及び（３）クランプ底部アーム部側のサンプリングバッグフィルムを両側から挟持するための１対の密封用ゴム板を備えてなるガスサンプリングデバイス。
【請求項２】
中空支持体が、クランプ底部側のみに開口する有底中空支持体、又はクランプ底部側及びクランプ上部側に開口する中空支持体である請求項１に記載のガスサンプリングデバイス。
【請求項３】
少なくとも１枚の密封用ゴム板がブチルゴム板である請求項１又は請求項２に記載のガスサンプリングデバイス。
【請求項４】
１対の密封性ゴム板がブチルゴム板である請求項１乃至請求項３のいずれか１項に記載のガスサンプリングデバイス。
【請求項５】
更に、クランプの上部アーム部側のフレキシブルサンプリングバッグフィルムを両側から挟持するための１対のゴムクッション板を有する請求項１乃至請求項４のいずれか１項に記載のガスサンプリングデバイス。
【発明の詳細な説明】
【技術分野】
【０００１】
実験室レベルで微生物による水素ガス等の産生能、ならびに吸収能を試験するために、フレキシブルサンプリングバッグが使用されている。本発明は、このようなフレキシブルサンプリングバッグに装着して用いるガスサンプリングデバイスに関する。
【背景技術】
【０００２】
環境問題への配慮から、最近になって、屋外のプールや海上に浮かべたプラスチック製のリアクター中でシアノバクテリアや緑藻などの光合成微生物を培養して水素ガスを製造する計画がなされ、様々な研究と開発が行われている。
例えば、大月利らは、光合成微生物を用いて廃水中の有機物を分解して水素を製造するための光合成リアクターを提案している。（特許文献１、２参照）
また、本発明者らも、先に、水面上に浮遊させた透明な培養液収納バッグ内で光合成微生物を培養して該光合成微生物が産生する水素ガスを回収するための水素ガス産生のための光合成用リアクターを提案した。（特許文献３参照）
【０００３】
このようなリアクターを用いた微生物による水素ガスの実生産に先立って、水素ガスを効率的に産生するための最適な微生物とその培養条件を見出すために、実験室レベルの小規模実験が不可欠であり、その容器として、バイアル（vial）やフレキシブルサンプリングバッグが使用されている。
【０００４】
バイアルは、ガラス瓶にブチルゴム等からなる密封性かつ弾力性（変形回復能）を有するゴム栓をして、更に中央部に丸い窓のあるアルミニウムなどのキャップで巻締めたものである。ゴム栓はブチルゴム等からなり、サンプル採取針を窓を通してゴム栓に突き刺しこれを引き抜いた時にも密封性を保持してガス漏れを防止できるので、試料を経時的に複数回採取することが可能であり、便利である。しかしながら、バイアルを用いた光合成微生物による水素ガスの産生試験においては、水素ガスの発生に伴い内圧が著しく高くなって、培養条件が変化してしまうので微生物による水素ガス等の産生試験においては適切な培養容器であるとは言えない。ガス発生を伴う点で、メタン発酵試験の場合も同様な問題がある。
【０００５】
一方、微生物による水素ガス産生試験において、ガスバリアー性のプラスチックフィルムからなるフレキシブルサンプリングバッグを用いた場合には、バッグ内に余裕を持って培養液等を入れておけば、バッグ自体が膨張可能なため、常圧に保つことができ、水素ガスの産生とともに内圧が上昇して培養条件が変化してしまうような不都合はない。ところで、フレキシブルサンプリングバッグ内に産生した水素ガスを含む気体は水上置換によって捕集するのが一般的である。水上置換とは、周知の通り、開口部を下にした状態でサンプリングバッグを水槽中に入れ、開口部より出てくるサンプルガスを水中で別の栓付き容器に移し替えるガス採取方法である。したがって、水上置換によってバッグ中のサンプルガスを採取する際に、バッグ中のガスの一部は勿論のこと微生物を含む培養液もこの採取作業によって失われてしまうので、該バッグは一回しか使用することができない。それ故、例えば、試験開始後、２日目、４日目、６日目、８日目、１０日目の水素濃度を測定しようとする場合には、それぞれの捕集日に対応して５個のサンプリングバッグを準備しなければならないという煩わしさがあった。また、このように５個のサンプリングバッグを用いた場合、それぞれのバッグに対して照射する光量を完全に同一に保つことは容易なことではなく、僅かではあるが実験条件が異なる懸念があった。
【先行技術文献】
【特許文献】
【０００６】
【特許文献１】特開平９−１１８１号公報
【特許文献２】特開平９−１１８２号公報
【特許文献３】ＷＯ２００８／１５３２０２号パンフレット
【発明の概要】
【発明が解決しようとする課題】
【０００７】
したがって、本発明の目的は、フレキシブルサンプリングバッグ中で光合成微生物を培養し、該微生物が産生した水素ガス量を測定して最適の光合成微生物と最適の培養条件を見出すための実験室レベルの予備試験や、建材や接着剤に含まれるホルムアルデヒドやトルエンといった揮発性化学物質の測定試験で用いるフレキシブルサンプリングバッグに装着して使用するためのガスサンプリングデバイスであり、バッグ中の気体を採取するに当たって水上置換する必要がなく、常圧下という試験条件下に、しかも、複数のフレキシブルサンプリングバッグを用意することなく１つのサンプリングバッグで経時的に何度でもバッグ中のサンプルガスを採取することができるガスサンプリングデバイスを提供することである。
【課題を解決するための手段】
【０００８】
本発明者らは、上記課題を解決するべく鋭意研究を行った結果、１つのフレキシブルサンプリングバッグで経時的に何度でも該バッグ中のサンプルガスを採取することが可能なガスサンプリングデバイスを見出して本発明を完成した。
本発明のガスサンプリングデバイスは、下記の通りである。
【０００９】
１．密封可能なフレキシブルサンプリングバッグ中のサンプルガスを採取するためのガスサンプリングデバイスであって、（１）フレキシブルサンプリングバッグ中に挿入して該バッグ中のサンプルガスをバッグ外に導くためのガス通気孔を側面に有する中空支持体、（２）該中空支持体をサンプリングバッグ中に固定するためのクランプであってクランプ底部アーム部にガス採取のための採取針を出し入れするための開口部を有するクランプ及び（３）クランプ底部アーム部側のサンプリングバッグフィルムを両側から挟持するための１対の密封用ゴム板を備えてなるガスサンプリングデバイス。
【００１０】
２．中空支持体が、クランプ底部側のみに開口する有底中空支持体、又はクランプ底部側及びクランプ上部側に開口する中空支持体である上記１に記載のガスサンプリングデバイス。
【００１１】
３．少なくとも１枚の密封用ゴム板がブチルゴム板である上記１又は２に記載のガスサンプリングデバイス。
【００１２】
４．１対の密封性ゴム板がブチルゴム板である上記１乃至３のいずれか１項に記載のガスサンプリングデバイス。
【００１３】
５．更に、クランプの上部アーム部側のフレキシブルサンプリングバッグフィルムを両側から挟持するための１対のゴムクッション板を有する上記１乃至４のいずれか１項に記載のガスサンプリングデバイス。
【発明の効果】
【００１４】
本発明によれば、その構成から明らかなとおり下記の効果が期待される。
（１）フレキシブルサンプリングバッグの使用が可能であるので、バイアルのように水素ガスの発生に伴い内圧が著しく高くなって培養条件等の試験条件が変化する恐れがなく、しかも、安価である。
（２）クランプの底部アーム部側のフィルムを両側からサンプリングバッグフィルムを挟持するための密封用ゴム板を備えているので、サンプリングバッグに対してサンプルガス採取用の採取針を何度でも気密的に刺し込み、引き抜くことが可能である。
（３）採取針を使用できるので、フレキシブルサンプリングバッグ中のサンプルガスを採取するに当たって水上置換する必要がない。
（４）複数のフレキシブルサンプリングバッグを用意することなく、１つのバッグで同一試験条件の下に経時的に何度でもバッグ中のサンプルガスを採取することが可能である。
【図面の簡単な説明】
【００１５】
【図１】本発明のガスサンプリングデバイスの斜視図である。
【図２】本発明のガスサンプリングデバイスを分解的に示す図である。
【図３】本発明のガスサンプリングデバイスをフレキシブルサンプリングバッグに実装した使用態様を示す図面代用写真である。
【発明を実施するための形態】
【００１６】
第１番目の発明は、フレキシブルサンプリングバッグに装着して使用するためのガスサンプリングデバイス１に関する。該デバイスは、ホルムアルデヒドやトルエン等の揮発性化学物質の発生が懸念される建材や接着剤、あるいは水素ガス産生のための光合成微生物と培養液といった被験物質を入れた密封可能なフレキシブルサンプリングバッグ中に産生されたホルムアルデヒドや水素ガス等のサンプルガスを採取するためのガスサンプリングデバイス１であって、サンプリングバッグ中に挿入してサンプルガスをバッグ外に導くための中空支持体２７、該中空支持体を該バッグ中に固定するためのクランプ２、及び、該クランプの底部アーム部側のサンプリングバッグフィルムを両側から挟持するための１対の密封用ゴム板２８、２８’を備えている。
ここで、該中空支持体２７は、フレキシブルサンプリングバッグ内に挿入して該バッグ中のサンプルガスをバッグ外に導くためのものであり、その側面には１以上のガス通気孔２７’を備えている。この通気孔２７’から中空支持体２７の中空部に入ったサンプルガスは外部から刺し込まれた採取針によって採取される。
また、クランプ２は、ネジ式クランプであり底部アーム部２２にガス採取のための採取針を出し入れするための開口部２４を備えている。
【００１７】
第２番目の発明は、第１番目の発明のガスサンプリングデバイス１において、中空支持体２７が、クランプ底部側のみに開口する有底中空支持体、又はクランプ底部側及びクランプ上部側に開口する中空支持体であることを特徴とするガスサンプリングデバイスである。
【００１８】
第３番目の発明は、第１番目又は第２番目の発明のガスサンプリングデバイス１において、少なくとも一方の密封用ゴム板２８又は２８’、好ましくはゴム板２８がブチルゴム板であることを特徴とするガスサンプリングデバイスである。
【００１９】
第４番目の発明は、第１番目乃至第３番目の発明のガスサンプリングデバイス１において、１対の密封用ゴム板２８及び２８’が共にブチルゴム板であることを特徴とするガスサンプリングデバイスである。
【００２０】
第５番目の発明は、第１番目乃至第４番目の発明のガスサンプリングデバイス１において、更に、クランプ２の上部アーム部２３側のサンプリングバッグフィルムを両側から挟持するための１対のゴムクッション板２９、２９’を有することを特徴とするガスサンプリングデバイスである。
【００２１】
次に、本発明のガスサンプリングデバイスについて、更に詳細に説明する。
本発明のガスサンプリングデバイス（図１、図２参照）は、フレキシブルサンプリングバッグに装着して使用するものである（図３参照）。
その使用方法の概略は次のとおりである。まず、フレキシブルサンプリングバッグ内に中空支持体２７を入れ、その下部に１枚の密封用ゴム板２８を配置し、必要によりその上部に１枚のゴムクッション板２９を配置しておく。このとき、中空支持体２７の１面に密封用ゴム板２８を接着し、他面にゴムクッション板２９を予め接着しておくと取扱が容易である。次に、これら中空支持体２７、密封用ゴム板２８及びゴムクッション板２９をサンプリングバッグ内に固定するためにクランプ２で締付けて固定する。このとき、クランプ２のクランプ底部アーム部２２とサンプリングバッグフィルムの間に更に密封用ゴム板２８’を咬ませ、また、好ましくは締付け固定のためのネジ部材２５の先端に取り付けた押付具２６側のバッグフィルムの両面に対峙させてゴムクッション板２９、２９’を咬ませておくとよい。最後に、殺菌乃至滅菌したフレキシブルサンプリングバッグ中に、試験すべき微生物と適量の培養液、あるいはホルムアルデヒドやトルエン等の有害ガスを発生させる建材や接着剤等の被検物質を入れて、該バッグの開口部をヒートシール手段等により密封してガス分析試験に供する。サンプルガスの採取は、シリンジの採取針（図示せず）をクランプ２の底部アーム部２２に設けた開口部２４を介して密封用ゴム板２８、２８’に突き刺し、中空支持体２７の中空部まで貫通させてサンプリングバッグ内のサンプルガスを採取する。
【００２２】
採取されたサンプルガス中に発生した水素ガス等の濃度を測定することにより、水素ガス産生のための最適な微生物及び最適な培養液を探索し、また、これら微生物を培養するための最適な温度条件、光照射条件等を知見することができる。
あるいは、フレキシブルサンプリングバッグに本発明のデバイスを装着して、建材や接着剤から発生するアルデヒド等の有害揮発性ガスの発生状況を経時的に観察することができる。即ち、ホルムアルデヒド等の揮発性有害物質の発生源となる建材等の検体をサンプリングバッグ内に入れてバッグを密封し、バッグ内に揮発性有害物質を発生させた後、採取針を密封用ゴム板２８、２８’に突き刺して揮発性物質を含むサンプルガスを採取することが可能である。サンプルガスは、そのままガスクロマト装置などの適当な分析機器を用いて分析をすることができる。
【００２３】
このように、建材や接着剤から発生する有毒揮発性ガスの測定も、光合成微生物によって産生される水素ガスの測定も、単にフレキシブルサンプリングバッグ内に入れる材料が異なるだけであり、ガスの測定方法、本発明のガスサンプリングデバイスの構造乃至使用方法は全く同じである。また、メタン生産細菌により生産されるメタンガスの測定についても、全く同様である。したがって、以下、光合成微生物によって産生される水素ガスの発生試験を例にとって説明する。
【００２４】
本発明のガスサンプリングデバイス１を装着すべき「フレキシブルサンプリングバッグ」は、フレキシブルなプラスチック材料からなり、内部に栄養源を含む培養液（液状培地）あるいは培養液を含む容器を収容できる密閉可能な袋状体であり、例えば、クレハ社製の「ベセーラ（登録商標）ET-R」を使用することができる。以下、「フレキシブルサンプリングバッグ」を「サンプリングバッグ」又は単に「バッグ」と呼ぶこともある。
【００２５】
フレキシブルサンプリングバッグの形状とサイズは、特に制限はないが、その形状は一般的には長方形乃至正方形であり、そのサイズについては、封入する培養液の液量や発生が予想される水素ガスの容積を考慮して適宜決定することができる。通常は、短辺が６〜１２ｃｍ、長辺が１０〜２０ｃｍの長方形とするのが好ましい。また、フレキシブルサンプリングバッグは、培養液や微生物を挿入するための密閉可能な開口部を有する。該開口部の密閉手段は公知のいずれの方法でもよく、具体的には、ヒートシール手段やジッパー手段を挙げることができる。あるいは、開口部を１回以上折り畳んでクリップ等で留めたり、開口部に設けたワイヤーで封止して密閉してもよい。
【００２６】
フレキシブルサンプリングバッグの素材としては、透明かつ柔軟性を有するプラスチックフィルムであれば特に制限はないが、光合成微生物による水素ガス発生試験においては、水素ガスに対する透過性が低い透明な水素ガスバリアー性のプラスチックフィルムが好ましく、これらフィルムは単層フィルムであっても積層フィルムであってもよい。
【００２７】
また、フレキシブルサンプリングバッグは、水素ガス非バリアー性のプラスチックフィルムからなる内袋又は開口した内袋と水素ガスバリアー性フィルムからなる外袋とから構成される２重袋を使用してもよい。
２重袋の使用に際しては、内袋に培養液と光合成微生物を入れて開口部を密閉し、あるいは開口したまま、外袋内に挿入して、外袋内には、例えば、二酸化炭素を付加したアルゴンや空気のようなガスを充填しておく。内袋に蓄積された水素ガスは密閉された内袋フィルムを透過してまたは開口を通して外袋に移行するので、外袋内の水素ガス濃度を測定することにより、微生物の水素産生能を測定することができる。
これらフレキシブルサンプリングバッグは、オートクレーブ処理あるいは、高圧水蒸気滅菌、ガス滅菌、ガンマ線滅菌などの滅菌処理を施すことにより、無菌化されていることが好ましい。
【００２８】
培養液の栄養源としては、微生物の培養に通常用いられるものを広く使用することができる。炭素源としては、酸素発生型光合成微生物の場合は、二酸化炭素を気相に添加すれば足りる。有機物を必要とする場合は、資化可能な炭素化合物であればよく、例えば、グルコース、スクロース、ラクトース、マルトース、糖蜜、ピルビン酸、グリセリン、または、有機物や還元型硫黄化合物を含む食品工場廃水などを使用することができる。また、窒素源としては利用可能な窒素化合物であればよく、例えば、アンモニア、硝酸もしくはその塩等の無機窒素源、またはペプトン、肉エキス、酵母エキス、カゼイン加水分解物、大豆粕アルカリ抽出物等の有機窒素源などを使用することができる。一部のシアノバクテリアのような窒素固定光合成微生物を培養する場合は、気相に窒素を含んでいれば、窒素化合物は加えなくても良い。その他、リン酸塩、炭酸塩、硫酸塩、マグネシウム、カルシウム、カリウム、鉄、マンガン、亜鉛、などの塩類、特定のアミノ酸、特定のビタミン、消泡剤なども必要に応じて使用してもよい。
【００２９】
試験対象とする微生物は、水素ガス産生能を有する光合成微生物である。水素ガス産生能を有する微生物は、生育に光エネルギーを必要とし、光合成による水素ガス産生能を有する微生物であれば特に限定されるものではなく、次の２群に大別される。
（１）水を電子供与体として利用できず、有機物や硫黄化合物を電子供与体とする、いわゆる光合成細菌。
（２）酸素発生型光合成を営み、水を電子供与体として利用できる、シアノバクテリア（別名：ラン色細菌、藍藻類）、緑藻等。
本発明のリアクターに適用可能な光合成微生物として特に好ましくは、資源量の観点から、上記（２）の酸素発生型光合成微生物である。酸素発生型光合成微生物では、水素生産のための電子供与体は、培養液を構成する水であり、産物は水素と酸素なので、培養液をそれほど頻繁に換えることなく、継続して水素生産が可能である。シアノバクテリアや、緑藻類のクラミドモナス属藻類には、実験室段階の研究において、光生物的水素生産能力の高いものが報告されているが、このようなシアノバクテリアやクラミドモナス属藻類を使用してもよい。中でも、窒素固定型シアノバクテリアのニトロゲナーゼを利用した水素生産の研究においては、近年、遺伝子工学的にヒドロゲナーゼ活性を低下させた改良株が作成され、良好な水素生産性を示すことが報告されているが、このような改良窒素固定型シアノバクテリアの使用も可能である。
「窒素固定型シアノバクテリア」は、酸素発生型の光合成を営むことのできる原核生物シアノバクテリアであり、窒素欠乏条件下で、酵素ニトロゲナーゼ反応により窒素をアンモニアに固定するが、この反応の必然的副産物として水素が発生するので、これを水素生産に利用できる。また、窒素ガスがない条件下(例：アルゴン気下)では、窒素を固定することなく、水素生産ができる。このような窒素固定型シアノバクテリアとしては、Anabaena属、Nostoc属、Trichodesmium属、Oscillatoria属などがある。
【００３０】
次に、本発明のガスサンプリングデバイス１について説明する。
本発明のデバイス１は、光合成微生物と培養液を注入した密封可能なフレキシブルサンプリングバッグ中に産生されたサンプルガスを採取するためのガスサンプリングデバイスである。より詳しくは、本発明のガスサンプリングデバイス１は、該バッグ中に挿入してバッグ中のサンプルガスをバッグ外に導くための中空支持体２７、該中空支持体をサンプリングバッグ中に固定するためのクランプ２、及び、該クランプ２の底部アーム部２２側のバッグフィルムを両側から挟持するための１対の密封用ゴム板２８、２８’を備えている。
ここで、該中空支持体２７は、サンプリングバッグ内に挿入させてバッグ中のサンプルガスをバッグ外に導くためのものであり、その側面にはガス通気孔２７’を備えている。
また、クランプ２は、ネジ式クランプであり底部アーム部２２にガス採取のための採取針を出し入れするための開口部２４を備えている。
【００３１】
クランプ２は、サンプリングバッグの所望の位置に中空支持体２７を挟んで固定するためのものであり、好ましくは、コの字状又はＣの字状のネジ式クランプである。
例えば図示したクランプ２は、長尺板状の金属材をコの字状に曲げて成形したコの字状のネジ式クランプであり、クランプ支柱部２１、底部アーム部２２、上部アーム部２３及び締付け固定のためのネジ部材２５からなる。クランプ上部アーム部２３に設けたネジ部材２５は、その頭部分にネジを把持して回転させるためのヘッド部を設け、更にその足部に中空支持体２７を底部アーム部２２に押し付けて固定するための押付具２６を有する。
【００３２】
クランプ２の底部アーム部２２には、サンプリングバッグ中のサンプルガス、特に微生物が産生した水素を含むサンプルガスを採取するための採取針の出し入れを可能とする開口部２４を設けておく。該開口部２４の形状は、採取針の出し入れが可能であれば、特に限定されるものではない。開口部２４形状は、円形又は角型であってもよい。あるいは、底部アーム部２２の一端から切り込みを入れてＵ字状に形成してもよい。好ましくは、操作性の観点から円形である。
【００３３】
中空支持体２７は、サンプリングバッグ中のサンプルガスをバッグ外に導くための部材であり、サンプリングバッグ中に入れて、その両面をサンプリングバッグフィルム（第２図中Ｆ、F’）を介してクランプ２で押さえつけることにより一体的に固定することができる。
中空支持体２７は、上記のとおりサンプリングバッグ中のサンプルガスをバッグ外に導くための部材であるから、中空支持体２７の側面には１つ以上のガス通気孔２７’が設けられている。ガス通気孔２７’の形状と数には特に制限はないが、バッグ中のガスが中空支持体２７の中空部でよどみを生じないためにも、その数は少なくとも２つ以上であることが好ましい。サンプリングバッグ中のガスは、ガス通気孔２７’から支持体２７の中空部を経由し、更に外部から挿入された採取針を経由して採取される。
中空支持体２７の形状は、中空体であり、かつ側面に１以上のガス通気孔２７’を有すればよく、特に限定されるものではない。ここで該中空体２７は、少なくともクランプ底部アーム２２側に開口していればよく、クランプ底部アーム２２側にのみ開口したコップ状の有底中空体であっても、あるいはクランプ底部側及びクランプ上部側の両側に開口した筒状体であってもよい。好ましくは、採取針の貫通を防止するために、押付具２６に面した側を閉鎖し、クランプ底部アーム２２側に開口する有底の中空支持体である。
また、支持体２７は、好ましくは断面形状が円形、又は六角等の角形、特に好ましくは中空円筒体である。中空支持体２７は、フィルムの破損を防止するために、角を削ぎ落としておくとよい。中空支持体２７の材質は、特に限定されるものではなく、金属、プラスチック、ゴム等を使用することができる。金属の場合は、錆を考慮すると、ステンレスが好ましい。また、簡便にはナットの側面にガス通気孔２７’を設けたものであってもよい。図は、中空体２７として６角ナットを用いた例であって、その各々の側面に６個のガス通気孔２７’を設けてある。
該中空支持体２７は、予め、その片面に後述の密封用ゴム板２８を、他面にゴムクッション板２９を粘着剤や接着剤で貼着しておけば更に取り扱いが容易である。
【００３４】
１対の密封用ゴム板２８、２８’は、ガスの採取時に採取針を突き刺し、これを引き抜いた時にも密封性を保持してガス漏れを防止するためのものであり、採取針を気密的に引き抜くことが可能である。即ち、密封用ゴム板２８、２８’は、採取針を刺し込んだ後、抜き取ると、密封用ゴム板の柔軟性・弾力性により、刺し込み箇所が抜き取りとともに自然に縮小して閉塞される。加えて、１対の密封用ゴム板２８、２８’をクランプ底部アーム２２側のサンプリングバッグフィルム（第２図中Ｆ）を両側から挟むようにして介在させるので、これら密封用ゴム板２８、２８’の存在は、サンプリングバッグフィルムの破損を極力防止し、かつ、サンプリングバッグフィルム（Ｆ）と中空支持体２７をクランプでしっかりと固定するのに役立つ。
該１対の密封用ゴム板２８、２８’は、少なくとも１方（例えば、２８）が密封性のゴム板であればよく、他方（例えば、２８’）は後述のゴムクッション板であってもよい。両者（２８、２８’）とも密封性のゴム板であるのが好ましい。該密封用ゴム板は、クランプ２の底部アーム部２２の開口部２４と中空支持体２７と重なり合うように配置すべきである。密封用ゴム板２８、２８’は、採取針を引き抜いたときにも密封性を保持することができるゴム素材であれば特に制限されるものではないが、好ましくは、天然ゴム、シリコーンゴム、イソプレンゴム、ブチルゴム、フッ素ゴム、オレフィン系エラストマ等の柔軟かつ弾性のある材料で構成される。特に好ましくは、気密性、弾力性、耐性の観点からブチルゴムである。また、密封用ゴム板２８、２８’の形状は、クランプ２の底部アーム部２２の開口部２４よりやや大きく、かつ、中空支持体２７の断面よりやや大きければよく、特に限定されるものではない。好ましくは円形である。
【００３５】
本発明の更に好ましい態様は、クランプ２の上部アーム部２３側のサンプリングバッグフィルムを両側から挟むように配置して使用する１対のゴムクッション板２９、２９’を有するガスサンプリングデバイスである。サンプリングバッグの上部アーム部２３側のバッグフィルム（第２図中Ｆ’）を２枚のゴムクッション板２９、２９’で両側から挟み込むことにより、バッグフィルム（Ｆ’）の破損やずれの防止が可能となり、更には中空支持体２７をサンプリングバッグ内により堅固に固定することが可能である。
ゴムクッション板２９、２９’の素材は、柔軟かつ弾性のある材料であれば特に制限はなく、具体的には、天然ゴム、シリコーンゴム、イソプレンゴム、ブチルゴム、フッ素ゴム、オレフィン系エラストマ等のゴム素材を例示することができる。ゴムクッション板２９、２９’の形状は、中空支持体２７の断面よりやや大きければよく、特に限定されるものではない。好ましくは円形である。ゴムクッション板２９、２９’は、前記密封用ゴム板２８、２８’と同一素材、同一形状であってもよい。ゴムクッション板２９、２９’と密封用ゴム板２８、２８’は多くの場合、同形であるので、誤用の可能性もあるが、ゴムクッション板として密封用ゴム板を用いた場合には、このような誤用を回避することができる。
【００３６】
また、本発明のガスサンプリングデバイス１は、ワッシャー３０、３０’を備えてもよい。ワッシャー３０、３０’は、クランプ底部アーム部２２と密封用ゴム板２８の間、及びネジ部材２５の足部の押付具２６とゴムクッション板２９の間に介在させる。これらワッシャー３０、３０’を介在させることにより、クランプ２でネジ固定した各部材の緩みを防止し、ゴム製品からなる密封用ゴム板２８、２８’やゴムクッション板２９、２９’の損傷を防止することができる。
【００３７】
次に、本発明に係るガスサンプリングデバイスの使用態様について述べる。
使用態様１（単一バッグ法）；
まず、複数のガス通気孔２７’を側壁に有する中空支持体２７を用意し、その片面に密封用ゴム板２８を、また他面にゴムクッション板２９を接着乃至粘着しておく。そして、図示しないフレキシブルサンプリングバッグ内に挿入する。次に、該バッグ内の中空支持体２７の密封用ゴム板２８側にクランプ２の底部アーム２２が対峙するようにクランプ２を装着する。この時、クランプの底部アーム２２側にはそれぞれ１枚の密封用ゴム板２８’とワッシャー３０を介在させ、またクランプの上部アーム２３側にはゴムクッション板２９’とワッシャー３０’を介在させておく。最後に、各部材の重なり具合を確認して、各部材をクランプ２によって締付け固定する。クランプの締め付けは、ネジ部材２５のヘッド部を手で回転させることによって行う。
これにより、各部材は、底部アーム２２側より順に、クランプ底部アーム部２２／ワッシャー３０／密封用ゴム板２８’／サンプリングバッグフィルム（第２図中Ｆ）／密封用ゴム板２８／中空支持体２７／ゴムクッション板２９／サンプリングバッグフィルム（第２図中Ｆ’）／ゴムクッション板２９’ ／ワッシャー３０’／ネジ部材先端の押付具２６の順に配列される。
ガスサンプリングデバイス１の取り付け位置は、培養液や建材に接触しない位置であり、サンプルガスを採取できるような位置であれば特に限定されるものではない。
最後に、このようにガスサンプリングデバイス１を装着して準備されたサンプリングバッグを殺菌乃至滅菌した後、該フレキシブルサンプリングバッグに試験すべき微生物と適量の培養液、あるいは建材を入れて、該サンプリングバッグの開口部を密封して培養試験に供する。これらサンプリングバッグは垂直方向に立てて、光合成微生物による水素産生試験の場合は所定の光をあてて使用する。
サンプルガスの採取は、シリンジ等の採取針（図示せず）をクランプ２の底部アーム部２２に設けた開口部２４を介して密封用ゴム板２８、２８’に突き刺し、中空支持体２７の中空部まで貫通させてサンプリングバッグ内のサンプルガスを採取して行う。
密封用ゴム板２８、２８’を使用しているので、ガスの採取時に採取針を突き刺し、これを引き抜いた時にも密封性を保持してガス漏れを防止することが可能である。本発明のデバイスを用いた場合、採取に当たって水上置換の必要もなく、必要に応じて何度でもバッグ内のサンプルガスを採取することができる。なお、ガスの採取量はバッグ内のガス量に比べて微量であるので、バッグ内のガス圧やガス量が大きく変化するなどの実験条件に変化をきたすことはない。
このようにして採取されたサンプルガス中の水素濃度を測定することにより、水素ガス産生に最適な微生物及び最適な培養液を探索し、また、これら微生物を培養するための最適な温度、光照射などの培養条件を知見することができる。また、建材等がいかなる有害ガスをどの程度放出しているかを知見することができる。
【００３８】
使用態様２（ダブルバッグ法）；
培養液と微生物を入れた内袋と、水素ガスバリアー性の外袋を用いた例である。内袋のサイズは７．５ｘ１０．５（ｃｍ）、外袋のサイズは１１ｘ１７（ｃｍ）とした。
内袋としては、Fisher社製のサンプリングバッグを用いた。また、外袋として株式会社クレハ製の「ベセーラ」（登録商標）を用いた水素ガスバリアー性のバッグを用いた。
まず、外袋部分に上記と同様にして本発明のガスサンプリングデバイス１を装着した。次に、内袋に試験すべき光合成微生物と適量の培養液入れ、開口部を開放したまま、この内袋を外袋に入れ、更に外袋内部にアルゴンガスを入れて不活性ガス雰囲気とした後に外袋の開口部をヒートシールして密閉した。サンプリングバッグは垂直方向に立てた状態で試験を行った。
内袋に蓄積された水素ガスは内袋の開口部を通して外袋に移行するので、外袋内の水素ガスを採取してその濃度を測定することにより、微生物の水素産生能を測定することができる。
【産業上の利用可能性】
【００３９】
本発明のガスサンプリングデバイスは、建材中のアルデヒド等の揮発性有害化学物質の発生状況の調査する際に用いるフレキシブルサンプリングバッグ、あるいは、光合成微生物を培養し、該微生物が産生した水素ガス量を測定して最適の光合成微生物と最適の培養条件を見出すための実験室レベルの予備試験で用いるサンプリングバッグ、あるいは、メタン生産細菌によるメタン生産の予備試験で用いるサンプリングバッグ、に装着して使用するためのものである。サンプリングバッグ中のサンプルガスを採取するに当たって水上置換する必要がなく、ガス圧等の培養条件の変化を伴わず、しかも、複数のサンプリングバッグを用意することなく１つのサンプリングバッグで経時的に何度でもバッグ中のサンプルガスを採取することができる。
したがって、光合成微生物を利用した水素ガスの産生試験や建材等から放出される有害ガスに関する試験研究の現場での利用が大いに期待される。
【符号の説明】
【００４０】
１    ガスサンプリングデバイス
２    クランプ
２１  クランプ支柱部
２２  クランプ底部アーム
２３  クランプ上部アーム
２４  クランプ底部アームに設けた採取針を出し入れするための開口部
２５  締付け固定のためのネジ部材
２６  押付具
２７  側面にガス通気孔を有する中空支持体
２７’ガス通気孔
２８、２８’  密封用ゴム板
２９、２９’  ゴムクッション板
３０、３０’  ワッシャー
【図１】
2011085571.tif 000003
【図２】
2011085571.tif 000004
【図３】
2011085571.tif 000005